(57)【要約】【課題】目地の耐火処理を、床版の施工時以外の任意のタイミングで施工可能とするとともに、耐火仕様の場合と非耐火仕様の場合とで床版を共通化する手段を提供する。【解決手段】本発明に係る床版の耐火目地処理方法は、側面下部にリブ１が突設されてなる複数の床版２を、相隣接する床版２のリブ１を互いに突き合わせるようにしてそれぞれ施工し、建物上階や屋根の防水工事を行った後であって、前記各床版２の上に床下地材９を敷設する前に、前記各リブ１の突出分だけ相隣接する前記各床版２間に形成される目地３Ｌに、耐火仕様の場合のみ、耐火性部材からなる目地材４を充填するものである。【選択図】図１
2007170006.tif 000002
【特許請求の範囲】
【請求項１】
側面下部にリブが突設されてなる複数の床版を、相隣接する床版のリブを互いに突き合わせるようにしてそれぞれ施工し、
建物上階や屋根の防水工事を行った後であって、前記各床版の上に床下地材を敷設する前に、前記各リブの突出分だけ相隣接する前記各床版間に形成される目地に、耐火仕様の場合のみ、耐火性部材からなる目地材を充填することを特徴とする床版の耐火目地処理方法。
【請求項２】
前記各床版が、押出成形セメント板からなることを特徴とする請求項１記載の床版の耐火目地処理方法。
【請求項３】
前記目地材の前記目地への充填は、前記目地を覆うようにしてシート状または板状の前記目地材を前記床版上に載置し、前記目地材を前記目地の上方から押下することで前記目地内に押し込むことにより行うことを特徴とする請求項１又は２に記載の床版の耐火目地処理方法。
【請求項４】
前記目地材が、セラミックウールからなることを特徴とする請求項１乃至３のいずれかに記載の床版の耐火目地処理方法。
【発明の詳細な説明】
【技術分野】
【０００１】
本発明は、複数の床版を相隣接するように施工することにより建物の床を構成する場合に、隣接する床版間に生じる目地に耐火処理を施す床版の耐火目地処理方法に関する。
【背景技術】
【０００２】
複数の床版を施工して建物の床を構成する場合、隣接する床版間に生じる目地に耐火処理を施すことにより、火災発生時に熱や炎が目地を通して他の階に及ぶことを防止する必要がある。ここで、床版として、セメントを板状に押出成形してなる押出成形セメント板を採用する場合、目地の耐火処理方法としては、ロックウールフェルト等の断熱シートを床版の裏面全体に渡って貼り付ける方法が従来用いられている。一方、床版として、軽量気泡コンクリート（Ａｕｔｏｃｌａｖｅｄ  Ｌｉｇｈｔ−ｗｅｉｇｈｔ  Ｃｏｎｃｒｅｔｅ）からなる床版（以下、「ＡＬＣパネル」と略す）やプレキャスト床版を用いる場合、目地の耐火処理方法としては、目地にモルタルを充填する湿式工法と、床版の施工時にセラミックウール等の目地材を床版間に挟む乾式工法とがある。本出願人は、図６に示すように、乾式工法による目地構造７０として、梁７１の上に相隣接して施工される一対の床版７２，７３のうち一方の床版７２の側面７２ａに、粘着テープ７４を介して帯状の断熱材７５を貼り付け、他方の床版７３の側面７３ａで断熱材７５を押し潰した構造を提唱している（特許文献１参照）。この目地構造７０によれば、モルタルの乾燥を待つ必要がない分、工期の短縮が可能となる。
【０００３】
【特許文献１】特開２００４−３５３３０９号公報
【発明の開示】
【発明が解決しようとする課題】
【０００４】
しかし、床版として押出成形セメント板を用いる場合、床版の裏面全体にロックウールフェルトを貼り付ける従来の目地処理方法では、ロックウールフェルトの使用量が多くなってコスト高になるという問題がある。また、床版とこの床版を下方から支持する梁との間にロックウールフェルトが挟まるため、床版に不陸が生じやすいという問題もある。一方、乾式床版の前記湿式工法や前記乾式工法についても以下のような問題点があるため、押出成形セメント板にそのまま適用するのは難しい。
【０００５】
すなわち、前記湿式工法は、モルタルの乾燥を待って次の工程に進むため、作業が天候に左右されやすく工程管理が難しいという問題がある。また、上階で作業を行う場合、モルタルを上階まで運び上げる必要があって作業が困難であるという問題もある。更に、目地部分が雨に濡れると、いわゆるエフロと呼ばれるカルシウム塩がセメントから溶け出し、下階の鉄骨や外壁を汚すという問題もある。
【０００６】
また、前記乾式工法は、図６に示すように、一方の床版７２の施工時にその側面７２ａに目地材７５を貼り付ける必要があって、他方の床版７３の施工時にその側面７３ａで目地材７５を押し潰すように配置する必要があるため、床版７２，７３の施工作業が煩雑化するという問題がある。また、目地材７５を構成するセラミックウール等は、空気の高い断熱性を利用すべく繊維間に多くの隙間があるため、この隙間から雨漏りが発生しないよう、目地部分を図示しないシート等で覆って養生する必要があり手間が掛かるという問題がある。また、非耐火仕様の場合、各床版７２，７３の間に目地材７５を挟む必要がないため、耐火仕様の場合と比較して床版７２，７３の幅寸法を目地材７５の厚み分だけ大きくしなければならない。従って、耐火仕様の場合と非耐火仕様の場合とで幅寸法の異なる床版７２，７３を別々に作製する必要があり、コストアップ及び管理の煩雑化を招くという問題もある。
【０００７】
本発明は、このような問題に鑑みてなされたものであり、目地の耐火処理を、床版の施工時以外の任意のタイミングで施工可能とするとともに、耐火仕様の場合と非耐火仕様の場合とで床版を共通化する手段を提供する。
【課題を解決するための手段】
【０００８】
上記目的を達成するための請求項１記載の床版の耐火目地処理方法は、側面下部にリブが突設されてなる複数の床版を、相隣接する床版のリブを互いに突き合わせるようにしてそれぞれ施工し、建物上階や屋根の防水工事を行った後であって、前記各床版の上に床下地材を敷設する前に、前記各リブの突出分だけ相隣接する前記各床版間に形成される目地に、耐火仕様の場合のみ、耐火性部材からなる目地材を充填するものである。
【０００９】
請求項２記載の床版の耐火目地処理方法は、前記各床版が、押出成形セメント板からなるものである。
【００１０】
請求項３記載の床版の耐火目地処理方法は、前記目地材の前記目地への充填は、前記目地を覆うようにしてシート状または板状の前記目地材を前記床版上に載置し、前記目地材を前記目地の上方から押下することで前記目地内に押し込むことにより行うものである。
【００１１】
請求項４記載の床版の耐火目地処理方法は、前記目地材が、セラミックウールからなるものである。
【発明の効果】
【００１２】
本発明に係る床版の耐火目地処理方法によれば、建物が耐火仕様の場合のみ耐火目地処理を行えばよく、耐火仕様の場合と非耐火仕様の場合とで床版を共通化することができる。これにより、部品点数削減によるコストダウン及び管理の容易化を図ることができる。また、目地に目地材を充填する作業を床版の施工時に行う必要がなく、建物上階や屋根の防水工事を行った後であって床下地材の敷設を行うまでの間に、手の空いたタイミングで行うことができるので、床版の施工作業を迅速化することができ、且つ工程管理が容易になる。しかも、防水工事が完了しているので、目地材や床版の突き合わせ部分を介して下階に雨漏りが発生することがない。従って、目地をシートで覆う等して養生する必要もない。
【００１３】
また、本発明に係る床版の耐火目地処理方法によれば、前記床版が、所望の形状に成形しやすい生産特性を持つ押出成形セメント板からなるため、リブの形成に加工手間が掛からず、且つコストアップすることもない。
【００１４】
また、本発明に係る床版の耐火目地処理方法によれば、目地材の目地への充填は、目地を覆うようにしてシート状の目地材を床版上に載置し、目地材を目地の上方から押下することで２つ折りの状態で目地内に押し込むことにより行うので、簡単な作業で目地材を迅速且つ確実に目地に充填することができる。
【００１５】
また、本発明に係る床版の耐火目地処理方法によれば、目地材がセラミックウールからなる軽量なものであるため、上階で作業を行う場合でも、目地材の運び上げを容易に行うことができる。
【発明を実施するための最良の形態】
【００１６】
以下、本発明の実施例に係る耐火目地処理方法について図面に基づいて説明する。図１は、本発明に係る耐火目地処理方法によって施工された耐火目地Ｍの構造を示す概略正面図である。図に示すように、耐火目地Ｍは、側面下部にリブ１が突出して設けられた床版２が、そのリブ１を互いに突き合わせるようにして相隣接して施工され、リブ１の上方に形成された目地３に帯状の目地材４が折り曲げられた状態で充填されたものである。
【００１７】
本実施例に係る耐火目地処理方法は、まず、図２に示すように、建物躯体を構成する梁５の上に、複数の床版２を相隣接するように施工する。図３は、本実施例に係る床版２を示す概略斜視図である。床版２は、いわゆる押出成形セメント板と呼ばれるものであって、ケイ酸質原料や繊維質原料を含有したセメントを板状に押出成形し、高温・高圧下で養生させることで硬化させたものである。この床版２は、略直方体形状を有し、該床版２を長辺２ａ方向に貫通する縦断面略矩径の空洞６が、その短辺２ｂ方向に列設されている。また、この床版２には、図３に示すように、その長辺２ａ側の左右両側面にリブ１がそれぞれ突設されている。このリブ１は、長辺側側面の下端部に長辺２ａ方向に渡って設けられ、隣接する床版２と突き合わせるための突き合わせ面１ａが長辺側側面と平行するように形成されている。
【００１８】
尚、長辺側側面においてリブ１を設ける位置及びその形状は、本実施例に限られず、隣接する床版２同士のリブ１を突き合わせた時に、その上方に所定広さの目地３を形成し得る範囲であれば、適宜設計変更が可能である。また、床版２は、押出成形セメント板に限られず、ＡＬＣパネルやプレキャスト床版２の側面にリブ１を突設することにより構成することも可能である。しかし、押出成形セメント板は、所望の形状に成形しやすいという生産特性があるため、リブ１の形成に加工手間が掛からず且つコストアップすることもない、という利点がある。
【００１９】
このように構成される床版２を、図２に示すように、例えばその長辺２ａ側の両端部を梁５で下方から受けるように配置し、これとは別の床版２を、その長辺側側面が床版２の長辺側側面と向かい合うようにして、そのリブ１を床版２のリブ１と突き合わせる。すなわち、リブ１の突き合わせ面１ａをリブ１の突き合わせ面１ａに密着させる。これにより、床版２の長辺側側面と床版２の長辺側側面との間には、リブ１の突出分の隙間すなわち目地３Ｌが形成される。一方、更に別の床版２を、その短辺側側面が床版２の短辺側側面と向かい合うようにして、所定間隔を開けて配置する。これにより、相隣接する床版２の短辺側側面の間にも目地３Ｓが形成される。そして、これと同様にして、複数の床版２をその長辺２ａ側及び短辺２ｂ側に相隣接するようにして順次配置する。
【００２０】
次に、床版２の上に図示しない建物上階や屋根を施工し、これらの防水工事を行う。防水工事は、例えば防水シートを貼付する等の従来公知の方法で行うことができる。このように、床版２の間に形成された目地３Ｌに目地処理を施す前に、建物上階や屋根の防水工事を行うので、後述するように目地３Ｌに充填される目地材４が雨に濡れることがなく、目地３Ｌをシート等で覆って養生する必要もない。
【００２１】
次に、建物が耐火仕様の場合は、隣接する床版２間に形成される目地３のうち、床版２の長辺２ａ方向に延びる目地３Ｌに目地材４を充填する。この目地材４は、例えば耐火性部材であるセラミックウールが細長いシート状に形成されたものである。この目地材４を、図４に示すように、目地３Ｌを覆うようにして床版２上に載置し、その幅方向中央部を平バール７で押下することにより目地３Ｌの内部に押し込む。これにより、目地材４は、その幅方向中央部で２つ折りにされた状態で目地３Ｌの内部に充填される。本実施例では、目地材４を目地３Ｌに隙間なく充填できるよう、２つ折りにした状態の厚みを目地３Ｌの開口幅より若干大きくし、且つ、２つ折りにした状態の幅寸法を目地３Ｌの深さと略等しくしている。尚、目地材４をどのような状態で目地３Ｌに充填するかは、本実施例に限られず適宜変更可能であり、これに応じて目地材４の形状や寸法を変更することも可能である。また、目地材４は、耐火性を有する部材であれば足り、セラミックウールに限定されないのはもちろん、シート状に限られず板状に形成することもできる。また、本実施例では、隣接する床版２間に形成される目地３のうち、床版２の短辺２ｂ方向に延びる目地３Ｓには目地材４を充填していない。これは、図４に示すように、短辺２ｂ方向に延びる目地３Ｓは、その下部開口が梁５によって塞がれており、且つ、耐火仕様の場合は梁５を覆うようにして耐火被覆８が配設されるため、目地３Ｓを通して火災の際の炎や熱が他の階へ及ぶ可能性は低いからである。もちろん、この短辺２ｂ方向に延びる目地３Ｓに目地材４を充填することも可能である。一方、建物が非耐火仕様の場合は、隣接する床版２間に形成される目地３Ｌに目地材４を充填することなく次の工程へと進む。
【００２２】
そして、図５に示すように、床版２の上面を覆って所定の床下地材９を敷設する。本実施例では、この床下地材９としていわゆるパーティクルボードを使用している。その後、詳細な説明は省略するが、所定の内装工事を行って床を完成させる。
【００２３】
以上のような本発明に係る耐火目地処理方法によれば、建物が耐火仕様の場合のみ耐火目地処理を行えばよく、耐火仕様の場合と非耐火仕様の場合とで床版２を共通化することができる。これにより、部品点数削減によるコストダウン及び管理の容易化を図ることができる。また、目地３Ｌに目地材４を充填する作業を床版２の施工時に行う必要がなく、建物上階や屋根の防水工事が完了した後であって床下地材９の敷設を行うまでの間に、手の空いたタイミングで行うことができるので、床版２の施工作業を迅速化することができ、且つ工程管理が容易になる。しかも、建物上階や屋根の防水工事が完了しているので、目地材４が雨に濡れることがなく、目地３Ｌをシートで覆う等して養生する必要もない。また、セラミックウール等からなる目地材４は軽量であるため、上階で作業を行う場合でも、目地材４の運び上げが楽である。
【産業上の利用可能性】
【００２４】
本発明は、押出成形セメント板からなる床版に限られず、例えばプレキャスト床版やＡＬＣパネルからなる床版にも適用可能である。
【図面の簡単な説明】
【００２５】
【図１】本発明の実施例に係る耐火目地処理方法によって施工された耐火目地Ｍの構造を示す概略正面図
【図２】床版２の梁５上への施工状態を示す概略斜視図。
【図３】本実施例に係る床版２を示す概略斜視図。
【図４】目地材４の目地３Ｌへの充填を説明するための説明図。
【図５】床下地材９の敷設を説明するための説明図。
【図６】従来例に係る乾式工法による目地構造７０を示す概略正面図。
【符号の説明】
【００２６】
１  リブ
２  床版
３Ｌ  目地
４  目地材
９  床下地材
【図１】
2007170006.tif 000003
【図２】
2007170006.tif 000004
【図３】
2007170006.tif 000005
【図４】
2007170006.tif 000006
【図５】
2007170006.tif 000007
【図６】
2007170006.tif 000008